(57)【特許請求の範囲】
【請求項１】
電気かみそり本体と当該電気かみそり本体に設けられる刃部とを備える電気かみそりに着脱可能に装着されて前記刃部を保護する刃保護キャップであって、
前記刃保護キャップは、
前記電気かみそりに装着した際に前記刃部を保護する刃保護キャップ本体と、
載置面に当接させた際に、前記刃保護キャップが装着された電気かみそりを所定の状態で載置することが可能な支持部と、
を備え、
前記刃保護キャップ本体には第１の開口が形成されており、
前記支持部を載置面に当接させ、前記刃保護キャップが装着された電気かみそりを所定の状態で載置した状態で、前記第１の開口が前記刃保護キャップの外部空間と連通しており、
前記支持部を載置面に当接させ、前記刃保護キャップが装着された電気かみそりを所定の状態で載置した状態で、
前記第１の開口が前記刃保護キャップ本体と前記支持部と前記載置面とで形成される空間に連通しており、
前記刃保護キャップ本体と前記支持部と前記載置面とで形成される空間が閉空間とならないように第２の開口が形成されていることを特徴とする刃保護キャップ。
【請求項２】
前記支持部を載置面に当接させ、前記刃保護キャップが装着された電気かみそりを所定の状態で載置した状態で、前記刃部の肌と当接する領域を近似する平面が水平面に対して傾斜していることを特徴とする請求項１に記載の刃保護キャップ。
【請求項３】
前記支持部を載置面に当接させ、前記刃保護キャップが装着された電気かみそりを所定の状態で載置した状態で、前記刃保護キャップ本体が傾斜面を有することを特徴とする請求項１または請求項２に記載の刃保護キャップ。
【請求項４】
前記第１の開口が前記傾斜面の最下部に形成されていることを特徴とする請求項３に記載の刃保護キャップ。
【請求項５】
前記刃保護キャップに装着された電気かみそりを複数の姿勢で支持することができるように前記刃保護キャップの支持部を形成したことを特徴とする請求項１〜４のうちいずれか１項に記載の刃保護キャップ。
【請求項６】
前記刃保護キャップは、前記刃保護キャップ本体に形成された第１の開口を開閉可能に覆う蓋部を備えていることを特徴とする請求項１〜５のうちいずれか１項に記載の刃保護キャップ。
【請求項７】
前記蓋部は前記刃保護キャップ本体に一体に形成されており、
前記蓋部を開いた際に当該蓋部が前記支持部となることを特徴とする請求項６に記載の刃保護キャップ。
【請求項８】
請求項１〜７のうちいずれか１項に記載の刃保護キャップが装着される電気かみそり。
【発明の詳細な説明】
【技術分野】
【０００１】
本発明は、刃保護キャップおよび当該刃保護キャップが装着される電気かみそりに関する。
【背景技術】
【０００２】
従来より、髭剃り後に水洗いすることによって電気かみそりに付着した髭屑を除去する水洗い式の電気かみそりが知られている（例えば、特許文献１参照）。
【０００３】
この特許文献１では、略円筒形状の駆動部本体の上部にドーム形状の外刃を設けた電気かみそりに、外刃を保護するキャップを着脱可能に装着させている。
【０００４】
このキャップは、略逆円錐台形状をしており、当該キャップの上面には水切孔が形成されており、上面の外周部に当該上面よりも隆起した鍔縁を形成することで、駆動部本体を倒立保持できるようにしている。
【０００５】
そして、水洗いした外刃にキャップを被せ、駆動部本体を倒立させることで、刃部に溜まった水分の水切りを行えるようにしている。
【先行技術文献】
【特許文献】
【０００６】
【特許文献１】実開昭５９−１３３１７３号公報
【発明の概要】
【発明が解決しようとする課題】
【０００７】
しかしながら、上記従来の技術では、鍔縁が略ドーナツ状をしており、駆動部本体を倒立保持した際に、当該鍔縁の全周が載置面に当接することになるため、水切孔を通ってキャップの外に移動した水が、上面と鍔縁との間に形成される空間部に溜まってしまう。そのため、上記従来の技術では、刃部等の乾燥をより効率的に行うことができなかった。
【０００８】
そこで、本発明は、より効率的に刃部等を乾燥させることのできる刃保護キャップおよび当該刃保護キャップが装着される電気かみそりを得ることを目的とする。
【課題を解決するための手段】
【０００９】
本発明にあっては、電気かみそり本体と当該電気かみそり本体に設けられる刃部とを備える電気かみそりに着脱可能に装着されて前記刃部を保護する刃保護キャップであって、前記刃保護キャップは、前記電気かみそりに装着した際に前記刃部を保護する刃保護キャップ本体と、載置面に当接させた際に、前記刃保護キャップが装着された電気かみそりを所定の状態で載置することが可能な支持部と、を備え、前記刃保護キャップ本体には第１の開口が形成されており、前記支持部を載置面に当接させ、前記刃保護キャップが装着された電気かみそりを所定の状態で載置した状態で、前記第１の開口が前記刃保護キャップの外部空間と連通しており、前記支持部を載置面に当接させ、前記刃保護キャップが装着された電気かみそりを所定の状態で載置した状態で、前記第１の開口が前記刃保護キャップ本体と前記支持部と前記載置面とで形成される空間に連通しており、前記刃保護キャップ本体と前記支持部と前記載置面とで形成される空間が閉空間とならないように第２の開口が形成されていることを主要な特徴とする。
【発明の効果】
【００１０】
本発明によれば、支持部を載置面に当接させ、刃保護キャップが装着された電気かみそりを所定の状態で載置した状態で、刃保護キャップ本体に形成された第１の開口が刃保護キャップの外部空間と連通するようにしている。そのため、刃保護キャップが装着された電気かみそりを所定の状態で載置した状態における刃部と外部空間との通気性を確保することができ、より効率的に刃部等を乾燥させることができるようになる。
【図面の簡単な説明】
【００１１】
【図１】図１は、本発明の第１実施形態で用いられる電気かみそりを示す正面図である。
【図２】図２は、本発明の第１実施形態で用いられる電気かみそりを示す断面図である。
【図３】図３は、本発明の第１実施形態にかかる刃保護キャップを示す斜視図である。
【図４】図４は、本発明の第１実施形態にかかる刃保護キャップを示す断面図である。
【図５】図５は、本発明の第１実施形態にかかる刃保護キャップの支持部を載置面に当接させ、刃保護キャップが装着された電気かみそりを倒立保持した状態を示す断面図である。
【図６】図６は、本発明の第２実施形態にかかる刃保護キャップが装着された電気かみそりが支持される状態を示す図であって、（ａ）は、支持部の一面で支持された状態を示す側面図、（ｂ）は、支持部の他面で支持された状態を示す側面図である。
【図７】図７は、本発明の第２実施形態にかかる刃保護キャップが装着された電気かみそりが支持部の他面で支持された状態を示す断面図である。
【図８】図８は、本発明の第３実施形態にかかる刃保護キャップを示す図であって、（ａ）は、刃保護キャップの開口を蓋部によって閉じた状態を示す斜視図、（ｂ）は、蓋部を開いた状態を示す斜視図である。
【発明を実施するための形態】
【００１２】
以下、本発明の実施形態について図面を参照しつつ詳細に説明する。なお、以下では、複数の外刃が並設される方向を前後方向、各外刃が延在する方向を左右方向、外刃が上方を向くようにヘッド部を配置した状態における上下方向を上下方向として説明する。また、電気かみそりのスイッチが設けられている側を前後方向前方として説明する。
【００１３】
また、以下の複数の実施形態には、同様の構成要素が含まれている。よって、以下では、それら同様の構成要素には共通の符号を付与するとともに、重複する説明を省略する。
【００１４】
（第１実施形態）
本実施形態にかかる電気かみそり１１は、水洗い可能な水洗式電気かみそりであり、図１に示すように、手で把持するグリップ部（電気かみそり本体）１２と、グリップ部１２に支持されるヘッド部（電気かみそり本体）１３と、を備えている。
【００１５】
グリップ部１２は、図２に示すように、第１の本体ケース２１と第２の本体ケース２２とを備えており、第１の本体ケース２１と第２の本体ケース２２とで形成される空間には、電気部品が密封して保持されている。さらに、グリップ部１２は、前面に開口が形成され、第１の本体ケース２１と第２の本体ケース２２とを組み付けることで形成される電気部品保持ケースを収容保持する把持ケース２３と、当該把持ケース２３の前面に形成された開口を塞ぐ前面パネル２４と、を備えている。なお、本実施形態では、第１の本体ケース２１はスイッチ配設部材を構成している。
【００１６】
また、本実施形態では、第１の本体ケース２１と第２の本体ケース２２とで形成される空間内に保持される電気部品は、二次電池２５および回路部材２６を含んでいる。この二次電池２５は、配線（図示せず）を介して回路部材２６に電気的に接続されており、さらに、防水チューブ２７内を通る配線（図示せず）を介して後述するリニアモータ１６に電気的に接続されている。
【００１７】
また、回路部材２６には、スイッチ素子２８が設けられている。本実施形態では、スイッチ素子２８を一度押し込むことで二次電池２５からリニアモータ１６に駆動電流が供給され、スイッチ素子２８を再度押し込むことで駆動電流の供給が停止されるようになっている。
【００１８】
また、前面側の第１の本体ケース２１におけるスイッチ素子２８と対応した位置には、開口２１ａが形成されている。そして、この開口２１ａには、外部からスイッチ素子２８を押し込み可能としつつ内部への液体の浸入を抑制する防水ゴム部材２９が二色成形にて設けられている。
【００１９】
また、前面パネル２４の防水ゴム部材２９と対応する位置には、略円形のパネル開口２４ａが形成されており、このパネル開口２４ａには、スイッチが設けられている。本実施形態では、スイッチは、押し込み操作可能に取り付けられるボタン３１と、当該ボタン３１の押し込みを許容するアンロック状態と押し込みを規制するロック状態とに切り換え可能なロック具４１等で構成されている。
【００２０】
ヘッド部１３は、図２に示すように、グリップ部１２に取り付けられるヘッド部本体１７と、当該ヘッド部本体１７に着脱自在に装着される外刃カセット１８と、を備えている。
【００２１】
本実施形態では、ヘッド部本体１７は、上方に向けて開口したヘッドケース１７ａと、ヘッドケース１７ａ内に収容されるリニアモータ１６とを備えている。なお、リニアモータ１６を収容する空間は防水空間となっており、リニアモータ１６の収容空間に液体などが侵入しないようになっている。
【００２２】
そして、ヘッド部本体１７には内刃１５が往復動可能に取り付けられている。この内刃１５は、前後方向に複数（本実施形態では、５つ）並設されており、それぞれの内刃１５は、リニアモータ１６の駆動に伴って左右方向に往復動する。
【００２３】
外刃カセット１８は、図２に示すように、ヘッドケース１７ａに着脱可能に装着される刃フレーム部１８ａと、当該刃フレーム部１８ａに取り付けられる外刃１４と、を備えている。
【００２４】
外刃１４も、前後方向に複数（本実施形態では、５つ）並設されている（図２参照）。
【００２５】
そして、外刃カセット１８をヘッド部本体１７に取り付けると、それぞれの外刃１４の内方（外刃１４の下側）に内刃１５がそれぞれ配設されることとなる。
【００２６】
かかる構成とすることで、スイッチを操作してリニアモータ１６を駆動させると、内刃１５が外刃１４に対して相対移動（左右方向へ往復動）し、外刃１４の刃穴内に挿入された体毛が、外刃１４と内刃１５とで協働して切断されることとなる。
【００２７】
なお、刃フレーム部１８ａの内側には体毛貯留室２０が形成されており、電気かみそり１１使用時に切断された体毛（髭屑）を体毛貯留室２０内に溜めることができるようになっている。
【００２８】
さらに、ヘッド部１３の側部（幅方向両端）には、ヘッド部本体１７に対して外刃カセット１８を着脱可能とする操作釦１９が形成されており、操作釦１９を押すと外刃カセット１８がヘッド部本体１７から外れるようになっている。そして、電気かみそり１１使用後（髭剃り後）に、外刃カセット１８をヘッド部本体１７から外すことで、外刃１４や内刃１５および体毛貯留室２０をブラシや水洗い等によって掃除し、体毛（髭屑）や皮脂等を除去できるようになっている。
【００２９】
そして、電気かみそり１１には、刃保護キャップ５０が着脱可能に装着されるようになっており、この刃保護キャップ５０を装着することで、電気かみそり１１の外刃（刃部）１４を保護するようにしている。
【００３０】
刃保護キャップ５０は、当該刃保護キャップ５０を電気かみそり１１に装着した際に、外刃（刃部）１４の外面を覆うことで、外刃（刃部）１４を保護する刃保護キャップ本体５１を備えている。
【００３１】
本実施形態では、刃保護キャップ本体５１は、外刃カセット１８の外形と対応した形状をしている。そして、刃保護キャップ本体５１の内部空間Ｓ１に電気かみそり１１の外刃カセット１８を挿入し、外刃カセット１８に形成されている係合部１８ｂを、刃保護キャップ本体５１に形成されている係合部５１ａに係合することで、刃保護キャップ５０が電気かみそり１１に装着される（図５参照）。
【００３２】
このように、刃保護キャップ５０を電気かみそり１１に装着し、刃保護キャップ本体５１が外刃（刃部）１４の外面を覆うことで、電気かみそり１１が転倒・落下等した際に刃部（内刃１５および外刃１４）が受ける衝撃を抑制できるようになる。
【００３３】
さらに、本実施形態では、刃保護キャップ５０は、載置面１００ａに当接させた際に、刃保護キャップ５０が装着された電気かみそり１１を倒立させた状態（刃部が下方に位置する状態：所定の状態）で載置することが可能な支持部５２を備えている。
【００３４】
本実施形態では、刃保護キャップ５０を電気かみそり１１に装着した状態において、刃保護キャップ本体５１の前後方向前方かつ幅方向中央部、前後方向後方かつ幅方向両端部の３箇所に、支持部５２が突設されている。
【００３５】
そして、図５に示すように、刃保護キャップ５０が装着された電気かみそり１１は、３箇所の支持部５２によって３点支持された状態となり、載置面１００ａに安定して倒立保持できるようになっている。
【００３６】
ここで、本実施形態では、刃保護キャップ本体５１には、刃保護キャップ本体５１の内部空間Ｓ１に存在する水（液体）を外部に排出するための水切り部（第１の開口）５３が形成されている。なお、水切り部（第１の開口）を複数形成するようにしてもよい。
【００３７】
本実施形態では、水切り部（第１の開口）５３は、支持部５２を載置面１００ａに当接させた状態で、平面視で支持部５２の当接部が描く領域（本実施形態では、３箇所の当接部分を線分で結ぶことで形成される領域）内に存在するように形成されている。
【００３８】
すなわち、水切り部（第１の開口）５３は、支持部５２を載置面１００ａに当接させ、刃保護キャップ５０が装着された電気かみそり１１を倒立させた状態（所定の状態）で載置した際に、刃保護キャップ本体５１と支持部５２と載置面１００ａとで形成される空間Ｓ２に連通している。
【００３９】
さらに、支持部５２を載置面１００ａに当接させ、刃保護キャップ５０が装着された電気かみそり１１を倒立させた状態のときに、刃保護キャップ本体５１と支持部５２と載置面１００ａとで形成される空間Ｓ２が閉空間とならないように第２の開口５４が形成されている。なお、ここでいう閉空間とは、空間Ｓ２が直接刃保護キャップ５０の外部空間Ｓ３と連通していることを意味しており、刃保護キャップ本体５１の内部空間Ｓ１を介して刃保護キャップ５０の外部空間Ｓ３と連通していることを意味するものではない。すなわち、第２の開口５４は、水切り部（第１の開口）５３を含まないものである。
【００４０】
このように、本実施形態では、水切り部（第１の開口）５３は、支持部５２を載置面１００ａに当接させ、刃保護キャップ５０が装着された電気かみそり１１を倒立させた状態のときに、空間Ｓ２および第２の開口５４を介して刃保護キャップ５０の外部空間Ｓ３と連通している。
【００４１】
さらに、本実施形態では、平面視で、支持部５２の載置面１００ａとの当接部分が閉じた線とならないようにしている。すなわち、第２の開口５４は、下端に支持部５２が存在しない部分があり、第２の開口５４の少なくとも一部が載置面１００ａによって区画されるようにしている。こうして、空間Ｓ２内の水（液体）が、支持部５２に邪魔されることなく刃保護キャップ５０の外部空間Ｓ３に移動できるようにしている。
【００４２】
また、本実施形態では、支持部５２を載置面１００ａに当接させ、刃保護キャップ５０が装着された電気かみそり１１を倒立させた状態のときに、外刃（刃部）１４の外面（刃部の肌と当接する領域）を近似する平面Ｃが水平面に対して傾斜するようにしている。なお、本実施形態では、載置面１００ａが水平面となっている。
【００４３】
さらに、本実施形態では、幅方向から視たときに、平面Ｃが前後方向に傾斜するようにしている。なお、平面Ｃの傾斜方向は、前後方向に限られるものではなく、幅方向に傾斜（前後方向から視たときに幅方向に傾斜）していてもよいし、前後方向および幅方向のいずれから視ても傾斜しているようにしてもよい。
【００４４】
ところで、本実施形態では、前後方向に５つ並設されたそれぞれの外刃（刃部）１４の突出量がほぼ同様となっている。したがって、それぞれの外刃（刃部）１４の頂部の接平面が平面Ｃとなっている。なお、並設された外刃（刃部）１４が突出量の異なるものを含む場合には、例えば、最も突出した外刃（刃部）１４の頂部の接平面が刃部の肌と当接する領域を近似する平面となるようにすればよい。また、外刃（刃部）１４は１つの場合には、例えば、外刃（刃部）１４の頂部の接平面が刃部の肌と当接する領域を近似する平面となるようにすればよい。
【００４５】
なお、頂部の接平面を肌と当接する領域を近似する平面とさせるのは一例に過ぎず、他の方法で肌と当接する領域を近似する平面を求めるようにしてもよい。例えば、幅方向から視て、中央部が突出するように外刃（刃部）１４が配置された場合、中央部から両端に向けて傾斜する２つの平面を肌と当接する領域を近似する平面とし、これら２つの平面がそれぞれ水平面に対して傾斜するようにしてもよい。
【００４６】
さらに、本実施形態では、支持部５２を載置面１００ａに当接させ、刃保護キャップ５０が装着された電気かみそり１１を倒立させた状態のときに、刃保護キャップ本体５１が傾斜面５１ｂを有するようにしている。
【００４７】
具体的には、刃保護キャップ本体５１の前後方向前方かつ幅方向中央部に形成された支持部５２の突出量を、前後方向後方かつ幅方向両端部に形成された支持部よりも大きくすることで、幅方向から視たときに、刃保護キャップ本体５１の外刃（刃部）１４の外面と対応する部位が前後方向に傾斜する傾斜面５１ｂとなるようにしている。このとき、刃フレーム部１８ａの前後方向後方側の側面と対応する部位も前後方向に傾斜する傾斜面５１ｂとなる。
【００４８】
さらに、本実施形態では、刃保護キャップ本体５１の傾斜面５１ｂの最下部（外刃１４の外面と対応する傾斜面５１ｂと刃フレーム部１８ａの前後方向後方側の側面と対応する傾斜面５１ｂとの境界部分）に、水切り部（第１の開口）５３が形成されている。
【００４９】
かかる構成とし、電気かみそり１１使用後（髭剃り後）に、水洗いした電気かみそり１１に刃保護キャップ５０を装着し、支持部５２を載置面１００ａに当接させて電気かみそり１１を倒立させることで、外刃（刃部）１４等をより効率的に乾燥させることができるようになる。
【００５０】
具体的には、グリップ部（電気かみそり本体）１２やヘッド部（電気かみそり本体）１３に付着した水（液体）、外刃１４、内刃１５および体毛貯留室２０に溜まった水が流れ落ちて外刃（刃部）１４の外面に溜まる。
【００５１】
そして、外刃（刃部）１４の外面に溜まった水は、重力により外刃（刃部）１４の外面の傾斜に沿って下方に移動したり、外刃（刃部）１４の外面から刃保護キャップ本体５１の傾斜面５１ｂに落下する。
【００５２】
そして、外刃（刃部）１４の外面の下部に移動した水および刃保護キャップ本体５１の傾斜面５１ｂに沿って移動した水は、水切り部（第１の開口）５３を通って空間Ｓ２や刃保護キャップ５０の外部空間Ｓ３へと移動する。
【００５３】
このとき、水切り部（第１の開口）５３を通って空間Ｓ２に移動した水は、第２の開口５４から刃保護キャップ５０の外部空間Ｓ３へと移動することができる。すなわち、空間Ｓ２に移動した水を空間Ｓ２内に留めることなく刃保護キャップ５０の外部空間Ｓ３へと排出することが可能となる。
【００５４】
このように、本実施形態の構成とすることで、水切り部（第１の開口）５３から流れ落ちた水が表面張力により当該水切り部（第１の開口）５３周辺や刃保護キャップ本体５１内部に停滞してしまうのを抑制することができる。すなわち、刃部（外刃１４および内刃１５）と外部空間（刃保護キャップ５０の外部空間Ｓ３）との通気性および水の排出を確保することができ、電気かみそり１１の外刃（刃部）１４の保護を図りつつ、より効率的に刃部等を乾燥させることができるようになる。
【００５５】
以上説明したように、本実施形態では、支持部５２を載置面１００ａに当接させ、刃保護キャップ５０が装着された電気かみそり１１を倒立させた状態（所定の状態）で載置したときに、刃保護キャップ本体５１に形成された水切り部（第１の開口）５３が刃保護キャップ５１の外部空間Ｓ３と連通するようにしている。そのため、刃保護キャップ５０が装着された電気かみそり１１を倒立させた状態における刃部（外刃１４および内刃１５）と外部空間Ｓ３との通気性を確保することができ、より効率的に刃部等（例えば、外刃１４、内刃１５および体毛貯留室２０等）を乾燥させることができるようになる。
【００５６】
また、通気性をよくすることで、雑菌が繁殖してしまったり、悪臭が発生してしまうのを抑制することができるという利点もある。
【００５７】
また、本実施形態によれば、支持部５２を載置面１００ａに当接させ、刃保護キャップ５０が装着された電気かみそり１１を倒立させた状態（所定の状態）で載置したときに、水切り部（第１の開口）５３が刃保護キャップ本体５１と支持部５２と載置面１００ａとで形成される空間Ｓ２に連通するようにしている。さらに、刃保護キャップ本体５１と支持部５２と載置面１００ａとで形成される空間Ｓ２が閉空間とならないように第２の開口５４を形成している。
【００５８】
このように、水切り部（第１の開口）５３を空間Ｓ２に連通させるようにすることで、刃保護キャップ５０が装着された電気かみそり１１を倒立させた状態（所定の状態）で支持する支持部５２を、刃保護キャップ本体５１のいずれの部位に設けてもよくなる。その結果、刃保護キャップ本体５１を広く用いることができ、平面視で支持部５２の載置面１００ａとの当接部が描く領域（本実施形態では、３箇所の当接部分を線分で結ぶことで形成される領域）を広くすることができ、刃保護キャップ５０が装着された電気かみそり１１を倒立させた状態でより安定的に支持することができる。
【００５９】
また、本実施形態によれば、支持部５２を載置面１００ａに当接させ、刃保護キャップ５０が装着された電気かみそり１１を倒立させた状態（所定の状態）で載置したときに、外刃（刃部）１４の外面（刃部の肌と当接する領域）を近似する平面Ｃが水平面に対して傾斜するようにしている。そのため、電気かみそり１１を乾燥させる際に、外刃（刃部）１４の外面に付着した水を重力によって効率よく流れ落とすことができるようになる。
【００６０】
また、本実施形態によれば、支持部５２を載置面１００ａに当接させ、刃保護キャップ５０が装着された電気かみそり１１を倒立させた状態（所定の状態）で載置したときに、刃保護キャップ本体５１が傾斜面５１ｂを有するようにした。そのため、傾斜面５１ｂに落下した水を傾斜面５１ｂに沿って移動させることができ、より効率的に刃部等（例えば、外刃１４、内刃１５および体毛貯留室２０等）を乾燥させることができる。
【００６１】
また、本実施形態によれば、刃保護キャップ本体５１の傾斜面５１ｂの最下部（外刃１４の外面と対応する傾斜面５１ｂと刃フレーム部１８ａの前後方向後方側の側面と対応する傾斜面５１ｂとの境界部分）に、水切り部（第１の開口）５３を形成している。そのため、傾斜面５１ｂに沿って移動させた水を、よりスムーズに刃保護キャップ本体５１の内部空間Ｓ１から外部空間（空間Ｓ２や外部空間Ｓ３）へと排出することができる。
【００６２】
また、本実施形態では、第２の開口５４は、下端に支持部５２が存在しない部分があり、第２の開口５４の少なくとも一部が載置面１００ａによって区画されている。そのため、空間Ｓ２内の水（液体）が、支持部５２に邪魔されることなく刃保護キャップ５０の外部空間Ｓ３に移動できるようになる。
【００６３】
（第２実施形態）
本実施形態にかかる刃保護キャップ５０Ａは、基本的に上記第１実施形態とほぼ同様の構成をしている。すなわち、刃保護キャップ５０Ａは、電気かみそり１１に着脱可能に装着されるものであり、この刃保護キャップ５０Ａを装着することで、電気かみそり１１の外刃（刃部）１４を保護するようにしたものである。
【００６４】
本実施形態においても、刃保護キャップ５０Ａは、当該刃保護キャップ５０Ａを電気かみそり１１に装着した際に、外刃（刃部）１４の外面を覆うことで、外刃（刃部）１４を保護する刃保護キャップ本体５１を備えている。
【００６５】
また、刃保護キャップ５０Ａは、載置面１００ａに当接させた際に、刃保護キャップ５０Ａが装着された電気かみそり１１を倒立させた状態（刃部が下方に位置する状態：所定の状態）で載置することが可能な支持部５２を備えている（図６（ａ）参照）。
【００６６】
また、本実施形態では、刃保護キャップ５０Ａを電気かみそり１１に装着した状態において、刃保護キャップ本体５１の前後方向前方かつ幅方向中央部、前後方向後方かつ幅方向両端部の３箇所に、支持部５２が突設されている。
【００６７】
なお、刃保護キャップ５０Ａが装着された電気かみそり１１を倒立させた状態は、上記第１実施形態とほぼ同様である。
【００６８】
ここで、本実施形態にかかる刃保護キャップ５０Ａが、上記第１実施形態と主に異なる点は、刃保護キャップ５０Ａに装着された電気かみそり１１を複数の姿勢で支持することができるように刃保護キャップ５０Ａの支持部５２を形成したことにある。
【００６９】
すなわち、本実施形態では、支持部５２を載置面１００ａに当接させ、刃保護キャップ５０Ａが装着された電気かみそり１１を倒立させた状態（所定の状態）で載置できるだけでなく、その他の姿勢（図６（ｂ）に示すように、電気かみそり１１を横にした状態）でも載置できるようにしている。
【００７０】
具体的には、刃保護キャップ本体５１の前後方向後方かつ幅方向両端部に設けた支持部５２に、把持ケース２３に沿うように延在する延設部５２ａを形成し、当該延設部５２ａの稜線部５２ｂに把持ケース２３を当接させることで、電気かみそり１１を横にした状態で載置できるようにしている。
【００７１】
そして、電気かみそり１１を横向きに載置したときも、刃保護キャップ本体５１に、刃保護キャップ本体５１の内部空間Ｓ１に存在する水（液体）を外部に排出するための水切り部（第１の開口：本実施形態では、刃保護キャップ本体５１に設けられた切欠部）５３が形成されるようにしている。
【００７２】
また、水切り部（第１の開口）５３は、支持部５２を載置面１００ａに当接させ、刃保護キャップ５０Ａが装着された電気かみそり１１を横向きにした状態（所定の状態）のときに、刃保護キャップ本体５１と支持部５２と載置面１００ａとで形成される空間Ｓ２に連通している。
【００７３】
さらに、支持部５２を載置面１００ａに当接させ、刃保護キャップ５０Ａが装着された電気かみそり１１を横向きにした状態（所定の状態）のときに、刃保護キャップ本体５１と支持部５２と載置面１００ａとで形成される空間Ｓ２が閉空間とならないように第２の開口５４が形成されている。
【００７４】
さらに、本実施形態においても、第２の開口５４は、下端に支持部５２が存在しない部分があり、第２の開口５４の少なくとも一部が載置面１００ａによって区画されるようにしている。こうして、空間Ｓ２内の水（液体）が、支持部５２に邪魔されることなく刃保護キャップ５０Ａの外部空間Ｓ３に移動できるようにしている。
【００７５】
また、本実施形態では、支持部５２を載置面１００ａに当接させ、刃保護キャップ５０Ａが装着された電気かみそり１１を横向きにした状態（所定の状態）のときに、外刃（刃部）１４の外面（刃部の肌と当接する領域）を近似する平面Ｃが水平面に対して傾斜するようにしている。
【００７６】
さらに、本実施形態では、支持部５２を載置面１００ａに当接させ、刃保護キャップ５０Ａが装着された電気かみそり１１を横向きにした状態（所定の状態）のときに、刃保護キャップ本体５１が傾斜面５１ｂを有するようにしている。
【００７７】
さらに、本実施形態では、刃保護キャップ本体５１の傾斜面５１ｂの最下部（外刃１４の外面と対応する傾斜面５１ｂと刃フレーム部１８ａの前後方向後方側の側面と対応する傾斜面５１ｂとの境界部分）に、水切り部（第１の開口）５３が形成されている。
【００７８】
かかる構成とすることで、刃保護キャップ５０Ａが装着された電気かみそり１１を横向きにした状態（所定の状態）のときにも、電気かみそり１１の外刃（刃部）１４の保護を図りつつ、より効率的に刃部等を乾燥させることができるようになる。
【００７９】
以上の本実施形態によっても、上記第１実施形態と同様の作用、効果を奏することができる。
【００８０】
また。本実施形態によれば、刃保護キャップ５０Ａに装着された電気かみそり１１を複数の姿勢で支持することができるように刃保護キャップ５０Ａの支持部５２を形成している。そのため、支持部５２の載置面１００ａに当接させる部位を選択することで、複数の姿勢のうちのいずれかの姿勢による電気かみそり１１の乾燥を選択することができる。すなわち、設置場所に応じた支持方法を選択することができる。
【００８１】
なお、本実施形態では、支持部５２に延設部５２ａを設けることで、電気かみそり１１を複数の姿勢で支持することができるようにしたものを例示したが、例えば、刃保護キャップ本体５１を把持ケース２３に沿うように延設し、当該延設部に、別の支持部を設けるようにしてもよい。また、刃保護キャップ本体５１を把持ケース２３に沿うように延設するとともに、支持部５２に延設部５２ａを設けることも可能である。
【００８２】
（第３実施形態）
本実施形態にかかる刃保護キャップ５０Ｂは、基本的に上記第１実施形態とほぼ同様の構成をしている。すなわち、刃保護キャップ５０Ｂは、電気かみそり１１に着脱可能に装着されるものであり、この刃保護キャップ５０Ｂを装着することで、電気かみそり１１の外刃（刃部）１４を保護するようにしたものである。
【００８３】
本実施形態においても、刃保護キャップ５０Ｂは、当該刃保護キャップ５０Ｂを電気かみそり１１に装着した際に、外刃（刃部）１４の外面を覆うことで、外刃（刃部）１４を保護する刃保護キャップ本体５１を備えている。
【００８４】
また、刃保護キャップ５０Ｂは、載置面１００ａに当接させた際に、刃保護キャップ５０Ａが装着された電気かみそり１１を倒立させた状態（刃部が下方に位置する状態：所定の状態）で載置することが可能な支持部５２を備えている。
【００８５】
また、本実施形態では、刃保護キャップ５０Ｂを電気かみそり１１に装着した状態において、刃保護キャップ本体５１の前後方向前方かつ幅方向中央部、前後方向後方かつ幅方向両端部の３箇所に、支持部５２が突設されている。
【００８６】
なお、刃保護キャップ５０Ｂが装着された電気かみそり１１を倒立させた状態は、上記第１実施形態とほぼ同様である。
【００８７】
ここで、本実施形態にかかる刃保護キャップ５０Ｂが、上記第１実施形態と主に異なる点は、刃保護キャップ５０Ｂは、刃保護キャップ本体５１に形成された水切り部（第１の開口）５３を開閉可能に覆う蓋部５５を備えている点にある。
【００８８】
さらに、本実施形態では、蓋部５５は、刃保護キャップ本体５１に一体に形成されており、蓋部５５を開いた際に当該蓋部５５が支持部５２の機能を有するようにしている。
【００８９】
かかる構成とすることで、電気かみそり１１を乾燥させないときには、蓋部５５を閉じて水切り部（第１の開口）５３を閉鎖し、水切り部（第１の開口）５３から埃等が侵入しないようにすることができる。
【００９０】
一方、電気かみそり１１を乾燥させるときには、蓋部５５を開いて水切り部（第１の開口）５３を開口させ、支持部５２（支持部５２および蓋部５５）を載置面１００ａに当接させる。こうして、刃保護キャップ５０Ｂが装着された電気かみそり１１を倒立させて乾燥させるようにできる。
【００９１】
以上の本実施形態によっても、上記第１実施形態と同様の作用、効果を奏することができる。
【００９２】
また。本実施形態によれば、刃保護キャップ５０Ｂは、刃保護キャップ本体５１に形成された水切り部（第１の開口）５３を開閉可能に覆う蓋部５５を備えている。そのため、持ち運び時等、電気かみそり１１を乾燥させないときに、蓋部５５を閉じて水切り部（第１の開口）５３を閉鎖することで、髭屑飛散を抑制したり、埃等が侵入したりしてしまうのを抑制することができ、電気かみそり１１の携帯性を向上させることが可能となる。
【００９３】
また、本実施形態によれば、蓋部５５は、刃保護キャップ本体５１に一体に形成されており、蓋部５５を開いた際に当該蓋部５５が支持部５２の機能を有するようにしている。
【００９４】
そのため、蓋部５５を閉じた際には、上記の効果を奏することができる上、蓋部５５を開いた際に、刃保護キャップ５０Ｂが装着された電気かみそり１１を倒立させて乾燥させることができる。
【００９５】
なお、本実施形態では、蓋部５５とは別に、支持部５２を設けたものを例示したが、複数の蓋部５５を刃保護キャップ本体５１に一体に設けることで、蓋部５５のみで支持部を構成するようにしてもよい。
【００９６】
また、上記第２実施形態に、本実施形態の構成を適用することも可能である。
【００９７】
以上、本発明の好適な実施形態について説明したが、本発明は上記実施形態には限定されず、種々の変形が可能である。
【００９８】
例えば、上記各実施形態では、支持部は刃保護キャップ本体と一体に形成したものを例示したが、設置時の安定性を考慮して刃保護キャップ本体にゴム足を取り付けることで形成してもよい。また、支持部を刃保護キャップ本体とは別部品で構成してもよい。
【００９９】
また、上記各実施形態では、５つの刃を並設した電気かみそりを用いたものを例示したが、１〜４つ、もしくは６つ以上の刃を用いて刃部を構成した電気かみそりを用いることも可能である。また、ヘッド部がない電気かみそり本体そのものに刃部を設けた電気かみそりに装着する刃保護キャップにあっても本発明を適用することができる。
【０１００】
また、支持部や水切り部、その他細部のスペック（形状、大きさ、レイアウト等）も適宜に変更可能である。
【符号の説明】
【０１０１】
１１  電気かみそり
１３  ヘッド部（電気かみそり本体）
１４  外刃（刃部）
１５  内刃（刃部）
５０，５０Ａ，５０Ｂ  刃保護キャップ
５１  刃保護キャップ本体
５２  支持部
５３  水切り部（第１の開口）
５４  第２の開口
５５  蓋部
【図１】
0005820995.tif 000002
【図２】
0005820995.tif 000003
【図３】
0005820995.tif 000004
【図４】
0005820995.tif 000005
【図５】
0005820995.tif 000006
【図６】
0005820995.tif 000007
【図７】
0005820995.tif 000008
【図８】
0005820995.tif 000009